【手続補正書】
【提出日】平成25年6月3日(2013.6.3)
【手続補正１】
【補正対象書類名】明細書
【補正対象項目名】０００７
【補正方法】変更
【補正の内容】
【０００７】
このことから、緩衝部材の球衝接面の近傍に、包囲枠体が配設されている場合には、緩衝部材で跳ね返った遊技球が衝突して包囲枠体（センターケース）が破損したり、包囲枠体の劣化の進み具合が早くなってしまったりするという問題がある。
【手続補正２】
【補正対象書類名】明細書
【補正対象項目名】０００８
【補正方法】変更
【補正の内容】
【０００８】
本発明は、上記の事情に鑑みてなされたものであり、その目的は、緩衝部材で跳ね返った遊技球によって包囲枠体（センターケース）が破損してしまうことを抑制することができ、包囲枠体（センターケース）の劣化の進み具合を遅らせることができる遊技機を提供しようとするものである。
【手続補正３】
【補正対象書類名】明細書
【補正対象項目名】０００９
【補正方法】変更
【補正の内容】
【０００９】
本発明は、上記目的を達成するために提案されたものであり、請求項１に記載のものは、遊技盤の表面に上縁が円弧状の遊技領域を区画形成する区画部材と、前記遊技盤の一側に設けられ、発射装置により発射された発射球を前記遊技領域の一側上部に案内する発射球案内路と、前記区画部材との間に遊技球の通路を形成する状態で前記遊技領域に配設される包囲枠体と、を備えた遊技機において、
前記包囲枠体の上部に設けられ、当該包囲枠体の内部に遊技球が進入することを規制する庇状の鎧部と、
前記遊技領域の他側上部となる前記区画部材の上辺部の終端部に設けられ、前記発射球案内路から前記区画部材の上辺部に沿って移動してきた遊技球が衝接する第１緩衝部材と、
前記包囲枠体の他側上部となる前記鎧部の終端部に設けられ、前記第１緩衝部材に衝接して跳ね返った遊技球が衝接する第２緩衝部材と、を備え、
前記鎧部は、
前記第２緩衝部材に向けて下り傾斜する上面部を有し、
前記第２緩衝部材は、
前記区画部材の上辺部と対向するように当該第２緩衝部材の上部に配置される上部衝接面と、
前記第１緩衝部材と対向するように当該第２緩衝部材の側部に配置される側部衝接面と、を備え、
前記上部衝接面は、前記側部衝接面の上端部に向けて下り傾斜するとともに、傾斜上端部が前記鎧部の上面部の傾斜下端部よりも低い位置に設定されることを特徴とする遊技機である。
【手続補正４】
【補正対象書類名】明細書
【補正対象項目名】００１０
【補正方法】変更
【補正の内容】
【００１０】
請求項２に記載のものは、前記包囲枠体の他側上部となる前記鎧部の終端部に前記第２緩衝部材を保持するための保持部を設け、
前記第２緩衝部材は、遊技球が衝接することで揺動可能なように前記保持部に保持されることを特徴とする請求項１に記載の遊技機である。
【手続補正５】
【補正対象書類名】明細書
【補正対象項目名】００１１
【補正方法】変更
【補正の内容】
【００１１】
請求項３に記載のものは、前記上部衝接面は、遊技球の衝接によって前記第２緩衝部材が揺動したとしても下り傾斜が維持されることを特徴とする請求項２に記載の遊技機である。
【手続補正６】
【補正対象書類名】明細書
【補正対象項目名】００１２
【補正方法】削除
【補正の内容】
【手続補正７】
【補正対象書類名】明細書
【補正対象項目名】００１３
【補正方法】削除
【補正の内容】
【手続補正８】
【補正対象書類名】明細書
【補正対象項目名】００１４
【補正方法】削除
【補正の内容】
【手続補正９】
【補正対象書類名】明細書
【補正対象項目名】００１５
【補正方法】削除
【補正の内容】
【手続補正１０】
【補正対象書類名】明細書
【補正対象項目名】００１６
【補正方法】削除
【補正の内容】
【手続補正１１】
【補正対象書類名】明細書
【補正対象項目名】００１７
【補正方法】削除
【補正の内容】
【手続補正１２】
【補正対象書類名】明細書
【補正対象項目名】００１８
【補正方法】変更
【補正の内容】
【００１８】
本発明によれば、第１緩衝部材で跳ね返った遊技球によって包囲枠体（センターケース）が破損してしまうことを抑制することができ、包囲枠体の劣化の進み具合を遅らせることができる。
【手続補正１３】
【補正対象書類名】明細書
【補正対象項目名】００１９
【補正方法】削除
【補正の内容】
【手続補正１４】
【補正対象書類名】明細書
【補正対象項目名】００２０
【補正方法】削除
【補正の内容】
【手続補正１５】
【補正対象書類名】明細書
【補正対象項目名】００２１
【補正方法】削除
【補正の内容】
【手続補正１６】
【補正対象書類名】明細書
【補正対象項目名】００２２
【補正方法】削除
【補正の内容】
【手続補正１７】
【補正対象書類名】明細書
【補正対象項目名】００２３
【補正方法】削除
【補正の内容】
【手続補正１８】
【補正対象書類名】明細書
【補正対象項目名】００２４
【補正方法】削除
【補正の内容】
【手続補正１９】
【補正対象書類名】明細書
【補正対象項目名】００２５
【補正方法】削除
【補正の内容】
【手続補正２０】
【補正対象書類名】明細書
【補正対象項目名】００２６
【補正方法】削除
【補正の内容】
【手続補正２１】
【補正対象書類名】明細書
【補正対象項目名】００３９
【補正方法】変更
【補正の内容】
【００３９】
そして、遊技盤７は、図４および図５に示すように、遊技領域６の他側上部となる区画部材２１の上辺部の終端部分に第１保持部６１を形成し、該第１保持部６１には、発射球案内路２２から区画部材２１の上辺部に沿って移動してきた遊技球が衝接する第１弾性緩衝部材６２（本発明における第１緩衝部材に相当）を保持している。また、該第１弾性緩衝部材６２と包囲枠体２４の鎧部４３（詳しくは、鎧部４３のうち第１弾性緩衝部材６２側（図４中、右側）に位置する傾斜下端）との間には第２保持部６３（本発明における第２緩衝部材を保持する保持部に相当）を配置し、該第２保持部６３には、第１弾性緩衝部材６２に衝接して跳ね返った遊技球が衝接する第２弾性緩衝部材６４（本発明における第２緩衝部材に相当）を保持している。言い換えると、前記包囲枠体２４の他側上部となる鎧部４３の終端部に第２保持部６３を設け、該第２保持部６３に第２弾性緩衝部材６４を保持している。さらに、第１弾性緩衝部材６２と第２弾性緩衝部材６４との間、上側区画部材４８の領域側縁部４８ａ（区画部材２１の上辺部および側辺部）と第２弾性緩衝部材６４との間には遊技球が通過可能な間隔を空けて連通路６５を蛇行する状態で設け、該連通路６５を介して上側球通路３４ａと他側球通路３４ｃとを連通している。
【手続補正２２】
【補正対象書類名】明細書
【補正対象項目名】００４３
【補正方法】変更
【補正の内容】
【００４３】
第２弾性緩衝部材６４は、第２保持部６３よりもひと回り小さい逆へ字状の弾性材（例えばゴム）で構成された部材であり、第２支持受孔８０を遊技盤７の表裏方向（言い換えると第２支持部７７の長手方向）に沿って開設し、第２支持受孔８０に第２支持部７７を前後方向（詳しくは遊技盤７の前後方向）に挿入した状態で第２保持部６３内に保持されている。また、第２弾性緩衝部材６４のうち第１弾性緩衝部材６２の球衝接面７１と対向する面を第１球衝接面８１（本発明における側部衝接面に相当）とし、図７に示すように、連通路６５のうち第１球衝接面８１と球衝接面７１との間に位置する箇所の通路幅、言い換えると、第１球衝接面８１と球衝接面７１との離間幅を遊技球の直径よりも広い寸法に設定している。また、第１球衝接面８１の下端部を上端部よりも第１弾性緩衝部材６２側に寄せて、第１球衝接面８１と球衝接面７１との離間幅を球衝接面７１の上部から下部に向かうにつれて次第に縮幅し、第１球衝接面８１の上端部における離間幅寸法Ｗ１よりも下端部における離間幅寸法Ｗ２を狭く設定している。
【手続補正２３】
【補正対象書類名】明細書
【補正対象項目名】００４４
【補正方法】変更
【補正の内容】
【００４４】
さらに、区画部材２１の上辺部（領域側縁部４８ａのうち第１弾性緩衝部材６２よりも発射球案内路２２側に位置する箇所）と対向する面（上面）を第２球衝接面８２（本発明における上部衝接面に相当）とし、第２球衝接面８２を第１球衝接面８１の上端部から発射球案内路２２側へ向けて上り傾斜させ、第２球衝接面８２の傾斜下端（第１球衝接面８１の上端）を球衝接面７１の上端よりも低い位置に設定するとともに、傾斜上端を鎧部４３よりも低い位置に設定している。また、連通路６５の上流部の通路幅（第２球衝接面８２と領域側縁部４８ａとの離間幅）Ｗ３を上側球通路３４ａの通路幅（鎧部４３と領域側縁部４８ａとの離間幅）Ｗ４よりも広くしている。そして、第１弾性緩衝部材６２の下部と対向する面を第３球衝接面８３とし、第３球衝接面８３を第１球衝接面８１の下端部から包囲枠体２４を挟んで発射球案内路２２とは反対方向に向けて下り傾斜させて、連通路６５の下流部（第３球衝接面８３と第１弾性緩衝部材６２との間に位置する部分）を包囲枠体２４から側方へ離れる方向に蛇行させている。
【手続補正２４】
【補正対象書類名】特許請求の範囲
【補正対象項目名】全文
【補正方法】変更
【補正の内容】
【特許請求の範囲】
【請求項１】
遊技盤の表面に上縁が円弧状の遊技領域を区画形成する区画部材と、前記遊技盤の一側に設けられ、発射装置により発射された発射球を前記遊技領域の一側上部に案内する発射球案内路と、前記区画部材との間に遊技球の通路を形成する状態で前記遊技領域に配設される包囲枠体と、を備えた遊技機において、
前記包囲枠体の上部に設けられ、当該包囲枠体の内部に遊技球が進入することを規制する庇状の鎧部と、
前記遊技領域の他側上部となる前記区画部材の上辺部の終端部に設けられ、前記発射球案内路から前記区画部材の上辺部に沿って移動してきた遊技球が衝接する第１緩衝部材と、
前記包囲枠体の他側上部となる前記鎧部の終端部に設けられ、前記第１緩衝部材に衝接して跳ね返った遊技球が衝接する第２緩衝部材と、を備え、
前記鎧部は、
前記第２緩衝部材に向けて下り傾斜する上面部を有し、
前記第２緩衝部材は、
前記区画部材の上辺部と対向するように当該第２緩衝部材の上部に配置される上部衝接面と、
前記第１緩衝部材と対向するように当該第２緩衝部材の側部に配置される側部衝接面と、を備え、
前記上部衝接面は、前記側部衝接面の上端部に向けて下り傾斜するとともに、傾斜上端部が前記鎧部の上面部の傾斜下端部よりも低い位置に設定されることを特徴とする遊技機。
【請求項２】
前記包囲枠体の他側上部となる前記鎧部の終端部に前記第２緩衝部材を保持するための保持部を設け、
前記第２緩衝部材は、遊技球が衝接することで揺動可能なように前記保持部に保持されることを特徴とする請求項１に記載の遊技機。
【請求項３】
前記上部衝接面は、遊技球の衝接によって前記第２緩衝部材が揺動したとしても下り傾斜が維持されることを特徴とする請求項２に記載の遊技機。